(57)【要約】【課題】使用者が浴室に出向いてフロリモコンの表示部にてフロ機能の設定値を確認する必要があり非常に不便であった。【解決手段】フロ機能を有した給湯機本体１と、この本体を遠隔操作する主リモコン３及びフロリモコン６とを備えた給湯機において、前記主リモコン３に、給湯機能に関する情報を表示する表示部３１と、フロ機能に関する情報を表示させるよう指示するフロ情報表示スイッチ３５と、前記フロ情報表示スイッチの操作に応じて前記表示部にフロ機能に関する情報を表示させる制御部３３とを設けた。【選択図】  図２
2004239498.tif 000002
【特許請求の範囲】
【請求項１】
フロ機能を有した給湯機本体と、この本体を遠隔操作する主リモコン及びフロリモコンとを備えた給湯機において、前記主リモコンに、給湯機能に関する情報を表示する表示部と、フロ機能に関する情報を表示させるよう指示するフロ情報表示スイッチと、前記フロ情報表示スイッチの操作に応じて前記表示部にフロ機能に関する情報を表示させる制御部とを設けたことを特徴とする給湯機。
【請求項２】
前記制御部は、前記フロ情報表示スイッチの操作に応じて、前記表示部の給湯機能に関する情報の一部または全部を非表示としてフロ機能に関する情報を表示させ、一定時間経過後にフロ機能に関する情報を非表示として給湯機能に関する情報を表示するようにしたことを特徴とする請求項１記載の給湯機。
【請求項３】
前記主リモコンに所定の条件で浴槽に湯張りを行うよう指示する湯張りスイッチを設け、この湯張りスイッチに前記フロ情報表示スイッチを兼用させ、前記制御部は、湯張りスイッチの一回目の操作で前記表示部の給湯機能に関する情報の一部または全部を非表示としてフロ機能に関する情報を表示させ、一定時間が経過するかまたは一定時間経過前の湯張りスイッチの再操作でフロ機能に関する情報を非表示として給湯機能に関する情報を表示するようにすると共に、前記一定時間経過前の湯張りスイッチの再操作で湯張り動作を行わせるよう指示するようにしたことを特徴とする請求項１記載の給湯機。
【発明の詳細な説明】
【０００１】
【発明の属する技術分野】
本発明は、フロ機能を有し、主リモコン及びフロリモコンを備えた給湯機に関するものである。
【０００２】
【従来の技術】
従来よりこの種の給湯機においては、フロへ湯張りを行う等のフロ機能を有した給湯機本体と、この本体を遠隔操作する主リモコン及びフロリモコンとを備えたものであって、浴室以外の場所に設置される主リモコンにはフロへの湯張りを指示する湯張りスイッチを含む多数の操作スイッチと給湯機能に関する情報を表示する表示部が設けられ、また浴室内に設置されるフロリモコンにもフロへの湯張りを指示する湯張りスイッチを含む多数の操作スイッチとフロ機能に関する情報を表示する表示部が設けられ、フロ機能の設定値はフロリモコンに表示されフロリモコンの操作スイッチにて変更されるようになっているものであった。（例えば特許文献１）
【０００３】
【特許文献１】
特開平６−１１７６８８号公報
【０００４】
【発明が解決しようとする課題】
しかし、この従来のものでは、主リモコンの湯張りスイッチを操作して湯張りを行う場合にフロ機能の設定値が変更されていることに気が付かず、使用者が望んでいない設定値で湯張りされてしまうことがある。そのため、使用者が浴室に出向いてフロリモコンの表示部にてフロ機能の設定値を確認する必要があり非常に不便であった。
【０００５】
【課題を解決するための手段】
そこで、本発明ではこれら課題を解決するため、請求項１では、フロ機能を有した給湯機本体と、この本体を遠隔操作する主リモコン及びフロリモコンとを備えた給湯機において、前記主リモコンに、給湯機能に関する情報を表示する表示部と、フロ機能に関する情報を表示させるよう指示するフロ情報表示スイッチと、前記フロ情報表示スイッチの操作に応じて前記表示部にフロ機能に関する情報を表示させる制御部とを設けたものとした。
【０００６】
これにより、浴室までフロリモコンの表示を確かめに行く必要がなく主リモコンでフロ機能に関する情報を簡単な操作で確認することができる。
【０００７】
また、請求項２では、前記制御部は、前記フロ情報表示スイッチの操作に応じて、前記表示部の給湯機能に関する情報の一部または全部を非表示としてフロ機能に関する情報を表示させ、一定時間経過後にフロ機能に関する情報を非表示として給湯機能に関する情報を表示するようにした。
【０００８】
これにより、通常時は表示部に給湯機能に関する情報が表示され、フロ情報表示スイッチが操作されたときにフロ機能に関する情報が表示されるため、必要な情報を必要なときに適切に表示して、一度に表示される情報量が過多にならず表示内容を把握しやすいものである。
【０００９】
また、請求項３では、前記主リモコンに所定の条件で浴槽に湯張りを行うよう指示する湯張りスイッチを設け、この湯張りスイッチに前記フロ情報表示スイッチを兼用させ、前記制御部は、湯張りスイッチの一回目の操作で前記表示部の給湯機能に関する情報の一部または全部を非表示としてフロ機能に関する情報を表示させ、一定時間が経過するかまたは一定時間経過前の湯張りスイッチの再操作でフロ機能に関する情報を非表示として給湯機能に関する情報を表示するようにすると共に、前記一定時間経過前の湯張りスイッチの再操作で湯張り動作を行わせるよう指示するようにした。
【００１０】
これにより、スイッチ数を増やすことなくフロ機能に関する情報を確認するためのスイッチを設けることができ、安価に構成することが可能であると共に、必要な情報を必要な時に確実に表示することができる。
【００１１】
【発明の実施の形態】
次に、本発明の一実施形態を図面に基づいて説明する。
１はフロ機能を有した給湯機本体で、２は給湯栓、３はこの給湯栓２近傍に設けられ前記本体１を遠隔操作する主リモコン、４は浴室に設けられた浴槽、５は浴室に設けられたシャワーヘッド、６は浴室に設けられ前記本体１を遠隔操作するフロリモコンである。
【００１２】
前記給湯機本体１には給水管７が接続され、本体１内のバーナ１１及び熱交換器１２によって給水を加熱し、前記主リモコン３及びフロリモコン６で設定される給湯設定温度の湯を給湯管８へ給湯可能としている。
【００１３】
また、前記給湯機本体１と浴槽４とはフロ配管９で浴槽水が循環可能に接続されており、本体１内のフロ配管９途中に設けられたフロ熱交換器９１及びフロ循環ポンプ９２にて浴槽水をフロリモコン６で設定されるフロ設定温度まで追焚き可能とし、浴槽水をフロリモコン６で設定される保温時間だけフロ設定温度に保温可能としていると共に、本体１内でこのフロ配管７に湯張り管９３が接続され、前記熱交換器でフロ設定温度に加熱された湯を浴槽４へ湯張り可能としている。
【００１４】
前記フロリモコン６は前記給湯機本体１と有線あるいは無線にて通信可能に接続されていると共に、フロ表示部６１とフロ操作部６２とこれらを制御するフロ制御部（図示せず）とを備え、給湯設定温度と、フロ設定温度と、湯張り水位あるいは湯張り量と、フロ保温時間を表示および設定変更可能とし、フロ操作部６２の湯張りスイッチ６３の操作によって前記湯張り水位あるいは湯張り量の湯を湯張りし浴槽水をフロ設定温度に前記フロ保温時間だけ保温するよう本体１に指示を行うようにしているものである。
【００１５】
また、前記主リモコン３は前記給湯機本体１と有線あるいは無線にて通信可能に接続されていると共に、給湯機能に関する情報を表示する表示部３１と操作部３２とこれらを制御する制御部３３とを備え、給湯設定温度を設定変更可能とし、操作部３２の湯張りスイッチ３４の操作によって前記湯張り水位あるいは湯張り量の湯を湯張りし浴槽水をフロ設定温度に前記フロ保温時間だけ保温するよう本体１に指示を行うようにしているものである。
【００１６】
そして、前記主リモコン３の操作部３２にはフロ情報表示スイッチ３５が設けられ、前記制御部３３は、フロ情報表示スイッチ３５が操作されると前記表示部３１にフロ機能に関する情報を表示させるようにしているものである。
【００１７】
ここで、この主リモコン３の制御部３３の作動を図２に示すフローチャートで説明する。
まずステップ１（以下Ｓ１と略す）で、表示部３１には図中（ａ）で示すように現在時刻と給湯機能に関する情報である給湯設定温度が表示されている。
【００１８】
そして、ユーザーの操作により操作部３２のフロ情報表示スイッチ３５がＯＮされると（Ｓ２でＹｅｓ）、主リモコン３の表示部３１の給湯機能に関する情報が非表示とされ、図中（ｂ）で示すようにフロ機能に関する情報が表示される（Ｓ３）。このフロ機能に関する情報としては、例えばフロ設定温度、保温設定時間、浴槽水位、現在の動作状況（残り湯あり、湯張り中、保温中等）が例示される。
【００１９】
フロ機能に関する情報を表示してから操作部３２に何の操作もなく一定時間（例えば３０秒）が経過すると（Ｓ４でＹｅｓ）、前記表示部３１のフロ機能に関する情報を非表示とし、図中（Ｃ）に示すように給湯機能に関する情報を表示するようにしている（Ｓ５）。
【００２０】
このように、通常時は給湯機能に関する情報を表示しフロ機能に関する情報を表示しない主リモコン３に、フロ機能に関する情報を表示させるフロ情報表示スイッチ３５を設けたので、浴室までフロリモコン６の表示を確かめに行く必要がなく主リモコン３でフロ機能に関する情報を簡単な操作で確認することができ、設定値が変更された状態に気が付かないで湯張りをしてしまうといった失敗を防止することができる。
【００２１】
また、通常時は表示部３１に給湯機能に関する情報が表示され、フロ情報表示スイッチ３５が操作されたときにフロ機能に関する情報が表示されるため、必要な情報を必要なときに適切に表示して、一度に表示される情報量が過多にならず表示内容を把握しやすいと共に、給湯機能に関する情報とフロ機能に関する情報とを切替えて表示するので表示部３１を大型化あるいは精密化することなく安価に構成することが可能である。
【００２２】
なお、主リモコン３の表示部３１にフロ機能に関する情報を表示させるにあたり、給湯機本体１とフロリモコン６との間で通信されているフロ機能に関する情報を主リモコン３でも受信すれば良く、主リモコン３が常時フロ機能に関する情報を受信する構成とするか、あるいはフロ情報表示スイッチ３５が操作された時に受信要求を送信して本体１から受信する構成とすること等で実現可能である。
【００２３】
次に、本発明の他の一実施形態について説明する。ここで、先の一実施形態と同じ構成のものは同一の符号を用いてその説明を省略する。
ここでは、先の一実施形態の主リモコン３の操作部３２のフロ情報表示スイッチ３５と湯張りスイッチ３４とを１つの押しボタンで兼用してフロ情報表示兼湯張りスイッチ３６としたもので、この制御部３３の作動を図４に示すフローチャートで説明する。
【００２４】
まず、表示部３１には図中（ａ）で示すように現在時刻と給湯機能に関する情報である給湯設定温度が表示される。
【００２５】
そして、ユーザーの操作により操作部３２のフロ情報表示兼湯張りスイッチ３６が操作されると（Ｓ２でＹｅｓ）、主リモコン３の表示部３１の給湯機能に関する情報が非表示とされ、図中（ｂ）で示すようにフロ機能に関する情報が表示される（Ｓ３）。このフロ機能に関する情報としては、例えばフロ設定温度、保温設定時間、浴槽水位、現在の動作状況（残り湯あり、湯張り中、保温中等）が例示される。
【００２６】
フロ機能に関する情報を表示してから操作部３２のフロ情報表示兼湯張りスイッチ３６が操作されることなく一定時間（例えば３０秒）が経過すると（Ｓ４でＹｅｓ）、前記表示部３１のフロ機能に関する情報を非表示とし、図中（Ｃ）に示すように給湯機能に関する情報を表示するようにしている。
【００２７】
また、一定時間以内にフロ情報表示兼湯張りスイッチ３６の操作があると（Ｓ６でＹｅｓ）、湯張りを開始するよう給湯機本体１に指示信号を送り（Ｓ７）、湯張りを行っている旨を示す湯張りランプ（図示せず）を点灯し（Ｓ８）、前記表示部３１のフロ機能に関する情報を非表示とし、図中（Ｃ）に示すように給湯機能に関する情報を表示するようにしている（Ｓ５）。
【００２８】
このように、通常時は給湯機能に関する情報を表示しフロ機能に関する情報を表示しない主リモコン３に、フロ機能に関する情報を表示させるフロ情報表示兼湯張りスイッチ３６を設けたので、浴室までフロリモコン６の表示を確かめに行く必要がなく主リモコン３でフロ機能に関する情報を簡単な操作で確認することができ、設定値が変更された状態に気が付かないで湯張りをしてしまうといった失敗を防止することができる。
【００２９】
しかも浴槽への湯張りを指示する湯張りスイッチ３４とフロ情報表示スイッチ３５とを兼用したのでスイッチ数を増やすことなくフロ機能に関する情報を確認するためのスイッチを設けることができ、安価に構成することが可能であると共に、必要な情報を必要な時に確実に表示することができる。
【００３０】
また、通常時は表示部３１に給湯機能に関する情報が表示され、フロ情報表示兼湯張りスイッチ３６が一回目に操作されたときにフロ機能に関する情報が表示されるため、一度に表示される情報量が過多にならず表示内容を把握しやすいと共に、給湯機能に関する情報とフロ機能に関する情報とを切替えて表示するので表示部３１を大型化あるいは精密化することなく安価に構成することが可能である。
【００３１】
なお、本発明はこれまで説明した実施形態に限定されるものではなく、例えば給湯機本体としてヒートポンプ式給湯機や電気温水器であってもよいものである。
【００３２】
また、フロ機能に関する情報としては、例示したものに限定されず、他にも実際のフロ温度、実際のフロ水位あるいは湯量、保温の残り時間、湯張り中においては湯張りが完了するまでの残り時間等が挙げられる。
【００３３】
【発明の効果】
以上のように本発明の請求項１によれば、給湯機能に関する情報を表示する主リモコンに、フロ機能に関する情報を表示させるフロ情報表示スイッチを設けたので、浴室までフロリモコンの表示を確かめに行く必要がなく主リモコンでフロ機能に関する情報を簡単な操作で確認することができ、設定値が変更された状態に気が付かないで湯張りをしてしまうといった失敗を防止することができる。
【００３４】
また、請求項２によれば、通常時は表示部に給湯機能に関する情報が表示され、フロ情報表示スイッチが操作されたときにフロ機能に関する情報が表示されるため、必要な情報を必要なときに適切に表示して、一度に表示される情報量が過多にならず表示内容を把握しやすいと共に、給湯機能に関する情報とフロ機能に関する情報とを切替えて表示するので表示部を大型化あるいは精密化することなく安価に構成することが可能である。
【００３５】
また、請求項３によれば、浴槽への湯張りを指示する湯張りスイッチとフロ情報表示スイッチとを兼用したのでスイッチ数を増やすことなくフロ機能に関する情報を確認するためのスイッチを設けることができ、安価に構成することが可能であると共に、必要な情報を必要な時に確実に表示することができる。
【図面の簡単な説明】
【図１】本発明の一実施形態の概略構成図。
【図２】同一実施形態の作動を説明するフローチャート。
【図３】本発明の他の一実施形態の概略構成図。
【図４】同他の一実施形態の作動を説明するフローチャート。
【符号の説明】
１  給湯機本体
３  主リモコン
３１  表示部
３２  操作部
３３  制御部
３４  湯張りスイッチ
３５  フロ情報表示スイッチ
３６  フロ情報表示兼湯張りスイッチ
６  フロリモコン
【図１】
2004239498.tif 000003
【図２】
2004239498.tif 000004
【図３】
2004239498.tif 000005
【図４】
2004239498.tif 000006